(57)【要約】      （修正有）【課題】簡単な構成で、収容袋に物品を容易に収容することができる作業台を提供する。【解決手段】物品収容作業台は、収容袋１の内部に物品を収容する作業を行うためのもので、収容袋の各側壁部１ａ、１ｂにそれぞれ形成された一対の孔１１ａ、１１ｂと対応して設けられる一対の上側フック２０と、下側フック２１とを備える。上側フックは、収容袋の各側壁部の孔に挿通する長手方向が搬入方向と平行に延びるよう配設されている。下側フックは上側フックの先端部の下方で、且つ、上側フックの先端部よりも搬入方向の手前側に配置されている。物品を収容袋に収容する際には、収容袋の手前側の側壁部１ａの孔１１ａを上側フックから外して下側フックに係止する。収容袋の開口部は、作業者の手前側に斜め上方に向かって開口した状態に維持される。【選択図】図９
0003221245.tif 000002
【実用新案登録請求の範囲】
【請求項１】
底縁部と両側縁部が互いに連続する一対の側壁部を備え前記各側壁部の上縁部により開口部が構成されてなる収容袋の内部に物品を収容する作業を行うための台であって、
前記収容袋の前記各側壁部の前記上縁部の近傍にそれぞれ形成された少なくとも一対の孔と対応して、長手方向が前記物品の搬入方向と平行に延びるように配設され、前記収容袋の前記各側壁部に形成された前記孔がそれぞれ挿通されて、前記一対の側壁部を前記搬入方向の手前側と奥側に位置させた状態で前記収容袋を吊り下げ支持するよう構成された上側フックと、
前記上側フックの先端よりも下方であって、前記物品の前記搬入方向の手前側に配設され、前記上側フックから外した前記搬入方向の手前側の前記側壁部の孔が係止される下側フックとを備えた、物品収容作業台。
【請求項２】
前記上側フックは、
基端側に配置されて複数の収容袋を吊り下げ支持することができる長さを有する支持部と、
該支持部から連続し上方に折り曲げ形成されたストッパ部と、
該ストッパ部から連属し前記下側フックに向かって下方に傾斜するよう形成された傾斜部と、
該傾斜部の先端側に連続して水平方向に延びるよう形成された水平部と
を有する、請求項１に記載の物品収容作業台。
【請求項３】
前記上側フックの前記支持部に吊り下げ支持された前記複数の収容袋が前記搬入方向の手前側に移動するのを規制して、前記下側フックに前記孔が係止された最前列の前記収容袋に前記物品を収容するための収容作業スペースを確保する仕切り部材を備えている、請求項２に記載の物品収容作業台。
【請求項４】
前記作業スペースを上面が構成し、内部に収容袋をストックするストッカを構成するボックスを備えている、請求項３に記載の物品収容作業台。
【請求項５】
物品が収容された収容袋を梱包する梱包材料を載置するための載置部を備えている、請求項１〜４のいずれか１項に記載の物品収容作業台。
【考案の詳細な説明】
【技術分野】
【０００１】
本考案は、物品収容作業台に関し、さらに詳しくは、物品を袋に収容するための作業を行うための物品収容作業台に関するものである。
【背景技術】
【０００２】
本考案に関連する従来の技術として、例えば特許文献１が知られている。
【０００３】
特許文献１には、一対のアームの前後２ヶ所の合計４ヶ所にそれぞれ設けられた引っ掛け部によってレジ袋の取っ手部を着脱自在に引っ掛けて保持する一対の引っ掛け保持部を備え、各々のアームは、前方側の引っ掛け部を後方側の引っ掛け部よりも低い位置に位置付けている、袋保持具が開示されている。袋保持具に保持されたレジ袋が大きく開口するとともに、レジ袋の店員側（前方側）の作業スペースが広くなり、よって、作業性がよく、レジ袋への商品の入れ易さが向上する。
【先行技術文献】
【特許文献】
【０００４】
【特許文献１】特開２００５‐２３９１７０号公報
【考案の概要】
【考案が解決しようとする課題】
【０００５】
上記特許文献１に記載された発明は、比較的小さな物品を所謂レジ袋等に収容するためのものであり、大型あるいは長尺の荷物や重量物については考慮されていない。一方、たとえば空港の荷物預かり所等において、預け入れる折りたたんだベビーカーや大型のラゲージなどの長尺、容積あるいは質量が大きい手荷物など、大型の物品を収容袋に容易に効率よく収容する要求がある。
【０００６】
本考案は、上述した課題に鑑みてなされたもので、簡単な構成で、収容袋に物品を容易に収容することができる作業台を提供することを目的とする。
【課題を解決するための手段】
【０００７】
上記課題を解決するため、本考案の物品収容作業台における一態様では、底縁部と両側縁部が互いに連続する一対の側壁部を備え前記各側壁部の上縁部により開口部が構成されてなる収容袋の内部に物品を収容する作業を行うための台であって、前記収容袋の前記各側壁部の前記上縁部の近傍にそれぞれ形成された少なくとも一対の孔と対応して、長手方向が前記物品の搬入方向と平行に延びるように配設され、前記収容袋の前記各側壁部に形成された前記孔がそれぞれ挿通されて、前記一対の側壁部を前記搬入方向の手前側と奥側に位置させた状態で前記収容袋を吊り下げ支持するよう構成された上側フックと、前記上側フックの先端よりも下方であって、前記物品の前記搬入方向の手前側に配設され、前記上側フックから外した前記搬入方向手前側の前記側壁部の孔が係止される下側フックとを備えている。
【考案の効果】
【０００８】
請求項１に記載の考案によれば、比較的容積や重量が大きい物品に応じた大きさを有する収容袋の開口部を大きく、物品を収容し易い姿勢に開口させた状態に維持して、物品を収容袋に収容する作業を容易に行うことが可能な作業台が提供される。
【図面の簡単な説明】
【０００９】
【図１】本考案の第１の実施の形態の正面図である。
【図２】図１の背面図である。
【図３】図１の平面図である。
【図４】図１の底面図である。
【図５】図１の側面図である。
【図６】図１〜５に示した第１の実施の形態において、複数の収容袋を上側フックに支持した状態を示した斜視図である。
【図７】図６の状態から、最前列の収容袋の搬入側の側壁部を上側フックから外して下側フックに係止して開口部を開口させた状態を示した斜視図である。
【図８】上側フックに支持された収容袋の構成を説明するために、上フックに収容袋を１枚だけ支持させた状態を示す縦断側面図である。
【図９】上側フックに複数の収容袋を支持させると共に、最前列の収容袋の搬入側の側壁部を上側フックから外して下側フックに係止した状態を示した縦断側面図である。
【図１０】本考案の第２の実施の形態を示した正面図である。
【図１１】図１０の背面図である。
【図１２】図１０の平面図である。
【図１３】図１０の底面図である。
【図１４】図１０の側面図である。
【図１５】図１０〜１４に示した第２の実施の形態において、複数の収容袋を上側フックに支持した状態を示した斜視図である。
【図１６】図１５の状態から、最前列の収容袋の搬入側の側壁部を上側フックから外して下側フックに係止して開口部を開口させた状態を示した斜視図である。
【図１７】上側フックに支持された収容袋の構成を説明するために、上フックに収容袋を１枚だけ支持させた状態を示す縦断側面図である。
【図１８】上側フックに複数の収容袋を支持させると共に、最前列の収容袋の搬入側の側壁部を上側フックから外して下側フックに係止した状態を示した縦断側面図である。
【考案を実施するための形態】
【００１０】
本考案の第１の実施の形態を図１〜図９に基づいて詳細に説明する。
最初に、物品Ｂを収容するための収容袋１の実施の形態について説明する。図８に示したように、各収容袋１は、シート状の素材により構成されており、一対の側壁部１ａ、１ｂを備えている。収容袋１は、側壁部１ａ、１ｂの両側縁部と底縁部が連続しているが、上縁部は連続しておらず開口部１０が形成されて袋状をなしている。そして、各収容袋１は、物品を収容する前の状態においては互いの側壁部１ａ、１ｂが重なった状態（１枚のシート状）となっている。なお、図８では、底縁部を除いて側壁部１ａ、１ｂを離して示したが、物品Ｂを収容する前の収容袋１は、実際には両側壁部１ａ、１ｂが全面にわたって略重なっている。そして、各側壁部１ａ、１ｂの上縁部近傍には、孔１１ａ、１１ｂが、本実施の形態ではそれぞれ左右一対で形成されている。孔１１ａ、１１ｂは、同じ位置に、同じ形状および大きさで形成されている。本実施の形態における孔１１ａ、１１ｂの形状は、収容袋１の幅方向に延びる長円または楕円で、大きさは、後述するように上側フック２０と下側フック２１をそれぞれ挿入することができるように形成されている。収容袋１は、特に素材等を限定されることはなく、たとえば所謂ビニールなどの合成樹脂により構成することができ、また透明、着色等による半透明、または不透明のものとすることができる。また、収容袋１は、シート状の側壁部１ａ、１ｂの低縁部および両側縁部が単純に連続して略全面にわたって互いに重なり合う形状だけでなく、これらの縁部の少なくとも一方にマチを有するものを使用することもできる。また、各孔１１ａ、１１ｂの形状は、特に限定されることはなく、上側フック２０および下側フック２１の断面の形状に応じて、上側フック２０および下側フック２１を挿入することができればよく、たとえば矩形など、他の形状に形成することもできる。
【００１１】
図１〜図９に示すように、物品収容作業台は、収容袋１の開口部１０から内部に物品Ｂを収容する作業を行うためのものである。ここで、本考案の「物品の搬入方向」について説明する。「物品の搬入方向」とは、平面視において、物品収容作業台の外部から物品Ｂを収容袋１内に収容するために物品収容作業台上に移動させる方向をいい、平面図で示した図３においては下方から上方に向かう方向である。なお、この「物品の搬入方向」は、正面図で示した図１においてはその紙面の手前側から奥側に向かう方向となり、側面図で示した図５においては左方から右方に向かう方向となる。また、物品Ｂを収容袋１に収容する作業を行う者（これを「作業者」という）は、物品収容作業台の前方、すなわち図１においてはその紙面の手前側に、図３においては物品収容作業台の下方に、図５においては物品収容作業台の右方に位置する。そして、「手前側」とは、作業者から見て近い側を意味し、「奥側」とは、作業者から見て離れた側を意味する。
【００１２】
物品収容作業台は、概略、収容袋１の各側壁部１ａ、１ｂにそれぞれ形成された一対の孔１１ａ、１１ｂと対応して設けられる一対の上側フック２０、２０と、下側フック２１、２１とを備えている。上側フック２０、２０は、収容袋１の各側壁部１ａ、１ｂの孔１１ａ、１１ｂに挿通する方向（長手方向）が搬入方向と平行に延びるよう配設されている。また、下側フック２１、２１は上側フック２０、２０のそれぞれ先端部の下方で、且つ、上側フック２０、２０のそれぞれ先端部よりも搬入方向の手前側に配置されている。
【００１３】
上側フック２０、２０は、その長手方向が物品Ｂの搬入方向と平行になるように配設される。そのため、上側フック２０、２０に孔１１ａ、１１ｂが挿通されて吊り下げ支持された収容袋１は、本実施の形態では、搬入方向の手前側に位置する側壁部に符号１ａを付し、が搬入方向の奥側に位置する側壁部に符号１ｂを付すこととする。
【００１４】
図１に示すように、物品収容作業台は、底板２２と、底板２２の両側縁からそれぞれ鉛直方向に延びる側板２３と、底板２２の後端縁から鉛直方向に延び両側板２３，２３の間に位置する背面板２４と、背面板２４の上端縁から延びる一対の支持腕２５、２５と、両支持腕２５、２５の先端部を連結する連結部材２６とを備えている。底板２２の前端縁と両側板２３、２３の前端縁および上端縁は、後述するように収容袋１の開口部１０が開口された状態で物品Ｂを収容袋１内に搬入することができるよう開放している。したがって、「物品の搬入側」は、本実施の形態においては、物品収容作業台の手前側（図５、図８、および図９における左方）となる。側板２３の外側面には、たとえば物品収容作業台が空港に設置されるものであり、収容袋１に収容する物品Ｂが空港を利用する搭乗者の折りたたんだベビーカーや大型のラゲージなど、比較的大きな手荷物である場合に、図５に示したように、これらの比較的大きな手荷物Ｂを収容袋１に収容する作業に適した物品収容作業台であることを示す文字やイラスト等２７を記載することができる。また、図８および図９に示すように、側板２３、２３の内側面には、後述するように最前列の収容袋１の搬入側の側壁部１ａを上側フック２０から外して下側フック２１に係止するよう案内するための文字や矢印などを含むイラスト等２８を記載することができる。
【００１５】
本実施の形態における底板２２は、略正方形または略長方形の矩形に成形されている。底板２２の上面の、後述するように仕切部材３３から手前側が、開口部１０が開口された状態の収容袋１を支持して、その内部に物品Ｂを収容するための作業スペースＳを構成する。図５に示すように、本実施の形態における各側板２３は、その前端縁と上端縁の間の角部（図５における左上の角部）が所定の曲率を有するアール形状に成形されているが、このような形状に限定されることはない。
【００１６】
さらに、物品収容作業台は、その全体を支持すると共に、容易に移動させるためのキャスタ３０を備えている。キャスタ３０は、本実施の形態においては、図４に底面図で示すように、底板２２の底面の左右の側方と手前側の角部（図４における上方の左右角部）および中央部と、左右の側板２３の下方における奥側（図４では下方）にそれぞれ設けられたブラケット３１との、合計５ヶ所に設けられている。キャスタ３０の少なくとも一部はストッパ機構を備えており、物品収容作業台が不用意に移動しないようになっている。
【００１７】
図８に示すように、本実施の形態における支持腕２５はそれぞれ、背面板２４の上面から連続して鉛直に上方へと延びる基部２５ａと、基部２５ａの上端から屈曲して水平方向に手前側に延びる水平部２５ｂと、水平部２５ｂの先端から屈曲して下方に向かって延びる先端部２５ｃとを備えており、両先端部２５ｃ、２５ｃの下端の間が連結部材２６により連結されている。そして、両先端部２５ｃ、２５ｃの下端の手前側には上側フック２０の支持部２０ａの基端部が接続されている。
【００１８】
図８に示すように、上側フック２０は、基端側に配置されて複数の収容袋Ｂを吊り下げ支持することができる長さを有する支持部２０ａと、この支持部２０ａから連続して上方に折り曲げ形成されたストッパ部２０ｂと、このストッパ部２０ｂから連属して下側フック２１に向かって下方に傾斜するよう形成された傾斜部２０ｃと、この傾斜部２０ｃの先端側に連続して水平方向に延びるよう形成された孔挿入部２０ｄとを有している。なお、上側フック２０は、側面視で示された図８、図９等においては支持部２０ａから先端の孔挿入部２０ｄに向かってストッパ部２０ｂと傾斜部２０ｃが上下方向に傾斜するよう屈曲されているが、平面図で示した図３においては支持部２０ａから先端の孔挿入部２０ｄに向かって直線状に延びている。この平面視における上側フック２０の直線状に延びる方向を「長手方向」という。そして、上側フック２０は、その長手方向が上述した搬入方向と平行に配設される。この表現は、上側フック２０の長手方向の配置と平行に搬入方向を設定する、と言い換えることもできる。
【００１９】
下側フック２１は、上側フック２０の先端の下方であって、且つ、物品Ｂを収納する作業者から見て手前側（物品Ｂの搬入側：図８および図９では左側）の位置に設けられている。その結果、下側フック２１は、上側フック２０の傾斜部２０ｃの略延長線上に位置している。下側フック２１は、両側板２３、２３の互い対向する内側面から突出するように設けられた基部２１ａと、基部２１ａの先端から手前側に向かって屈曲する係止部２１ｂとを備えている。図８に示したように、上側フック２０の支持部２０ａとストッパ部２０ｂとの境界となる屈曲した部分と、下側フック２１の基部２１ａとの間の間隔Ｌ１は、最前列の収容袋１の奥側の側壁部１ｂの孔１１ｂを支持部２０ａに残した状態で、手前側の側壁部１ａを搬入方向の手前側に移動させて孔１１ａを上側フック２０から外し、その孔１１ａを下側フック２１に挿入して掛けることができる長さに設定されている。
【００２０】
上側フック２０は、本実施の形態の場合、所定の長さを有する棒状または線状の素材の中央を折り曲げて先端とし、かかる先端から基端に向かって上記素材を屈曲させて、上述した孔挿入部２０ｄ、傾斜部２０ｃ、ストッパ部２０ｂ、および支持部２０ａを形成している。また、下側フック２１も同様に、上述した係止部２１ｂ、および基部２１ａを形成している。しかしながら、上側フック２０と下側フック２１は、特に素材の形状を限定されることはなく、たとえば所定の長さと厚さを有する板状素材などにより構成することもできる。
【００２１】
さらに、物品収容作業台は、図８および図９に示すように、上側フック２０の支持部２０ａに吊り下げ支持された複数の収容袋１が搬入側に移動するのを規制して、下側フック２１に孔１１ａが係止された最前列の収容袋１の収容作業スペースを確保する仕切り部材３３と、図６および図７に示すように、物品Ｂが収容された収容袋１を梱包する梱包材料Ｇを載置するための載置部３４とを備えている。
【００２２】
図８および図９に示した実施の形態における仕切り部材３３は、底板２２の上面に設けられており、左右両側板２３、２３の間に延び、底板２２の上面から所定の高さを有する板状のもので構成されている。仕切り部材３３は、上側フック２０に吊り下げ支持された複数の収容袋１のうち、最前列に位置する収容袋１の下部を仕切り部材３３の奥から引き出すことができると共に、この最前列より奥側に位置する他の収容袋１の下部が仕切り部材３３よりも手前側に出るのを規制して仕切り部材３３の奥側に位置した状態に保持し、引き出した最前列の収容袋１を拡げて内部に物品Ｂを収容することができる作業スペースＳを確保するよう機能する。
【００２３】
載置部３４は、両支持腕２５、２５の水平部２５ｂの上面に支持されている。図６および図７に示したように、載置部３４に載置しておく梱包材料Ｇは、たとえば粘着テープや結束紐などを採用することができるが、特に限定されることはない。すなわち、物品収容作業台は、単に収容袋１に物品Ｂを収容するだけでなく、物品Ｂを収容した収容袋１を梱包する作業も行うことができる。
【００２４】
載置部３４の奥側の縁部には、案内板３５を支持するための案内板支持部３６を備えている。図１等に示すように、案内板３５には、本実施の形態による物品収容作業台の使い方を説明するための文字やイラスト３７などを表示することができる。
【００２５】
次に、本考案の第２の実施の形態を図１０〜図１９に基づいて詳細に説明する。なお、本実施の形態においては、図１〜図９に基づいて第１の実施の形態と同様または相当する部分については同じ符号を付してその説明を省略し、異なる部分についてのみ説明することとする。
【００２６】
本実施の形態においては、内部に収容袋１をストックするストッカを構成するボックス４０を備えている。ボックス４０は、本実施の形態の場合、底板２２上に設けられているが、底板２２と一体に設けまたは、底板２２を設けることなくボックス４０のみを設けることもできる。また、図１７および図１８に示すように、本実施の形態においては、仕切り部材３３がボックス４０の上面の奥側の端縁に設けられている。ボックス４０は、その搬入側側面に開閉可能な扉４０ａを備えている。扉４０ａを開閉するために回動可能に支承する軸の位置、すなわち扉４０ａの開閉方向は、特に限定されることはない。
【００２７】
収容袋１は、側壁部１ａと１ｂにそれぞれ形成された一対の孔１１ａ、１１ｂが一致するよう所定枚数ごとに重ねられ、孔１１ａ、１１ｂに紐（図示は省略する）を通した状態でボックス４０内にストックされる。そして、このボックス４０の上面は、仕切り部材３３の手前側に引き出された最前列の収容袋１を支持して、その内部に物品を収容するための作業スペースＳを床面から所定の高さに構成する。そのため、図１７に示したように、上側フック２０の支持部２０ａとストッパ部２０ｂとの境界となる屈曲した部分と、下側フック２１の基部２１ａとの間の間隔Ｌ２は、図８に示した第１の実施の形態における間隔Ｌ１と比較して、短く設定される。
【００２８】
なお、本実施の形態における物品収容作業台は、特に第１の実施の形態における物品収容作業台の近くに設置されるものであり、収容袋１に収容する物品Ｂがたとえば空港を利用する搭乗者の手荷物であって、手提げ袋など第１の実施の形態と比較して小さいものである場合に、図１４に示したように、比較的小型の手荷物（物品）を収容袋に収容する作業に適した物品収容作業台であることを示す文字やイラスト２７’を側板２３の外側面に記載することができる。また、案内板３７に記載する文字やイラスト３７’も、図１０等に示したように、比較的小型の手荷物（物品）を収容袋に収容する作業に適した物品収容作業台であることを示す内容にすることができる。
【００２９】
また、本実施の形態における収容袋１は、比較的小型の手荷物（物品）を収容するものであるので、その大きさが上述した第１の実施の形態と比較して高さを低く（収容袋１の両側縁の長さを短く）設定される。なお、ボックス４０内にストックする収容袋１は、第２の実施の形態で使用する大きさの収容袋１だけでなく、第１の実施の形態で使用する大きさの収容袋１をストックしておくこともできる。
【００３０】
次に、上述したように構成された物品収容作業台の使い方を説明する。なお、以下の説明では、第１の実施の形態と第２の実施の形態とで共通する使い方については、いずれの実施の形態であるかを特に記載せず、使い方が異なる場合に、いずれかの実施の形態に特有の使い方であることを記載することとする。
【００３１】
物品収容作業台を使用するに先立って、上側フック２０には、複数の収容袋１の孔１１ａ、１１ｂが孔挿入部２０ｄから傾斜部２０ｃとストッパ部２０ｂ介して順次支持部２０ａに挿通され支持される。このとき、上述したように各収容袋１の各孔１１ａと１１ｂを一致させた状態で所定枚数ごとに重ねて紐を通すことにより、複数の収容袋１を容易に上側フック２０の孔挿入部２０ｄに挿通して傾斜部２０ｃおよびストッパ部２０ｂを経て支持部２０ａに移動させて吊り下げ支持させることができる。また、孔挿入部２０ｄが水平に延びているため、収容袋１の孔１１ａと１１ｂを上側フック２０に容易に挿通させることができる。なお、収容袋１の縦方向の長さは、収容する物品Ｂの想定される大きさに応じて、物品Ｂを収容したときに上側フック２０に許容できない負荷（上側フック２０が破損するような負荷）が掛かったり、孔１１ａ、１１ｂが裂けるような負荷が収容袋１に掛かることがないように設定されている。そして、図１〜図９に示した第１の実施の形態においては、底板２２上に設けられた仕切り部材３３の奥側に各有用袋１の下方が適切な長さにわたって底板２２上に接するようにして押し込み配置されている。一方、図１０〜図１８に示した第２の実施の形態においては、ボックス４０の上面の後端縁に設けられた仕切り部材３３の奥側に各有用袋１の下方が押し込み配置されているが、収容袋１の大きさによって底板２２上に接する場合と、接しない場合があり得る。
【００３２】
このとき、各収容袋１は、２枚のシート状の側壁部１ａ、１ｂが重なり合った状態で、それぞれの側壁部１ａ、１ｂに形成された一対の孔１１ａと１１ａ、１１ｂと１１ｂに一対の上側フック２０、２０がそれぞれ挿通されている。ここで、本実施の形態においては、各収容袋１の側壁部１ａは、物品収容作業台の搬入方向の手前側に位置し、また、各収容袋１の側壁部１ｂは、物品収容作業台の奥側に位置する。
【００３３】
物品Ｂを収容袋１に収容する際には、最初に上側フック２０の支持部２０ａに支持された複数の収容袋１のうち、作業者から見て一番手前側（最前列）、すなわち最も搬入側に位置する収容袋１の、手前側の側壁部１ａのみを手前に引っ張り、ストッパ部２０ｂ、傾斜部２０ｃ、および孔挿入部２０ｄを介して上側フック２０から手前側の側壁部１ａの孔１１ａを外し、下側フック２１の係止部２１ｂに係止する（図７、図９参照）。一番手前側の収容袋１の手前側の側壁部１ａを手前に引っ張ることにつられて、奥側の側壁部１ｂも手前側に移動しようとするが、その孔１１ｂが上側フック２０のストッパ部２０ｂにより規制されるため、奥側の側壁部１ｂは上側フック２０の支持部２０ａに留まることとなる。また、下側フック２１が上側フック２０の傾斜部２０ｃの略延長線上に位置しているため、上側フック２０から外された手前側の側壁部１ａの孔１１ａは、容易に下側フック２１に掛けることができる。収容袋１の開口部１０は、作業者の手前側に斜め上方に向かって大きく開口した状態に維持される。そのため、収容袋１の斜め上方に向かう姿勢の開口部１０の鉛直方向に投影した大きさは、作業スペースＳの平面視の寸法以上に開口させることも可能となる。なお、最も搬入側に位置する収容袋１の、奥側の側壁部１ｂは、孔１１ｂがストッパ部２０ｂにより手前側に容易に移動するのを規制されるので、支持部２０ａの奥側に留まる。そして、作業者が収容袋１の開口部１０から内部に腕を挿入するなどして、この収容袋１の下部を仕切り部材３３から手前側に引き出すことによって、かかる収容袋１を構成する一対の側壁部１ａ、１ｂは、開口部１０を除いて互いに重なっていた状態から、底板２２（第１の実施の形態の場合）またはボックス４０の上面（第２の実施の形態の場合）に形成された作業スペースＳ上で、開口部１０から底部に至るまで大きく離間することとなる。
【００３４】
一方、上側フック２０の支持部２０ａに支持された２列目以降の収容袋１の下部は仕切り部材３３により手前側に移動するのを規制されるので、仕切り部材３３から奥側に保持される。これにより、最前列よりも奥側の収容袋１が手前側の作業スペースＳ上に移動しないので、仕切り部材３３よりも奥側に維持される。したがって、最前列の収容袋１のみを作業スペースＳに確実に配置させることができる。
【００３５】
収容袋１の開口部１０が作業者の手前側に斜め上方に向かって大きく開口した状態に維持されるため、作業者は、物品Ｂを収容袋１の開口部１０から内部に容易に且つ確実に収容することができる。そして、図１〜図９に示した第１の実施の形態では特に、収容袋１の作業スペースＳが床面に近い底板２２上の手前側に形成されるので、たとえば折りたたんだベビーカーや大型のラゲージのように長尺、容積あるいは質量が大きいなど、比較的大きな手荷物を収容袋１に容易に収容することができる。また、図１０〜図１８に示した第２の実施の形態では特に、作業スペースＳが床面から所定の高さに位置するボックス４０の上面に形成されるので、手提げ袋など第１の実施の形態と比較して小さい物品Ｂを作業者が楽な姿勢で収容袋１に容易に収容することができる。
【００３６】
そして、収容袋への物品の収容作業が完了すると、収容袋１の手前側の側壁部１ａの孔１１ａを下側フック２１からそれぞれ外すと共に奥側の側壁部１ｂの孔１１ｂを上側フック２０からそれぞれ外す。その後、必要に応じて、載置部３４上に載置された所謂ガムテープやクラフトテープなどの粘着テープ、あるいは結束紐などの梱包材料Ｇを用いて、物品が収容された収容袋１の上縁の開口部１０を閉じたり、収容袋１の中間部を結束するなど、梱包作業を行うことができる。
【符号の説明】
【００３７】
１：収容袋、  １ａ：手前側の側壁部、  １０：開口部、  １１ａ：手前側の側壁部の孔、  １１ｂ：奥側の側壁部の孔、  ２０：上側フック、  ２０ａ：支持部、  ２０ｂ：ストッパ部、  ２０ｃ：傾斜部、  ２０ｄ孔挿入部、  ２１：下側フック、  ２１ａ：基部、  ２１ｂ：係止部、  ３３：仕切部材、  ３４：載置部、  ４０：ボックス、  Ｂ：物品、  Ｇ：梱包材料、  Ｓ：作業スペース、
【図１】
0003221245.tif 000003
【図２】
0003221245.tif 000004
【図３】
0003221245.tif 000005
【図４】
0003221245.tif 000006
【図５】
0003221245.tif 000007
【図６】
0003221245.tif 000008
【図７】
0003221245.tif 000009
【図８】
0003221245.tif 000010
【図９】
0003221245.tif 000011
【図１０】
0003221245.tif 000012
【図１１】
0003221245.tif 000013
【図１２】
0003221245.tif 000014
【図１３】
0003221245.tif 000015
【図１４】
0003221245.tif 000016
【図１５】
0003221245.tif 000017
【図１６】
0003221245.tif 000018
【図１７】
0003221245.tif 000019
【図１８】
0003221245.tif 000020